(57)【要約】  本発明は、「混合ベースの複合製品加工機械、混合エレメント、および混合アセンブリ」と題され、液体成分または粉末成分や液体原料または粉末原料の混合物を混合エレメントに分配し、その後、混合エレメント上に漏れ止めカバーが配置され、混合エレメントの内部で、その特定の構成の結果として、容器が連結されている機械の少なくとも１つの回転ヘッド上で液体部分および／または粉末部分を協調的に回転させることによってそれらを混合させる、混合製品分配機械に関する。
2020527431.tif 000002
【特許請求の範囲】
【請求項１】
２つ以上の原料をベースにする複合製品を、少なくとも混合および分配によって加工する混合ベースの複合製品加工機械であって、
原料を注入するための少なくとも１つの上部ディスペンサと、下部基部（８）と、を有し、
前記基部（８）上に配置される混合エレメント（５、６）を収容するための、前記上部ディスペンサと前記下部基部（８）との間に定められた混合空間を有し、
前記混合ベースの複合製品加工機械は、少なくとも１つの回転ヘッドであって、当該ヘッドと前記混合空間との間に配置された連結エレメント（９、１１）を備え、前記連結エレメント（９、１１）は、前記回転ヘッドに固定するための固定構造（１０）と、前記混合空間内に配置された前記混合エレメントのための連結構造（９２、１１２）とを有している、少なくとも１つの回転ヘッドを有していることを特徴とする、混合ベースの複合製品加工機械。
【請求項２】
前記回転ヘッドは、前記混合空間の下部に配置されていることを特徴とする、請求項１に記載の機械。
【請求項３】
前記回転ヘッドは、前記混合空間の上部に配置されていることを特徴とする、請求項１〜２に記載の機械。
【請求項４】
２つの回転ヘッドを有し、
当該２つの回転ヘッドは、それぞれが前記ヘッドと前記混合空間との間に配置された連結エレメント（９、１１）を有し、
各連結エレメント（９、１１）は、前記回転ヘッドのための固定構造（１０）と、前記混合エレメントのための連結構造（９２、１１２）とを有し、
第１の回転ヘッドが前記混合空間の下部に配置され、且つ第２の回転ヘッドが前記混合空間の上部に配置されるか、またはその逆であることを特徴とする、請求項１に記載の機械。
【請求項５】
前記回転ヘッドは、前記連結エレメントの前記固定構造（１０）と相補的な固定構造を有していることを特徴とする、請求項１〜４に記載の機械。
【請求項６】
前記混合エレメント（５、６）のための前記連結構造（９２、１１２）は、前記混合エレメント（５、６）の相補的な凹部（５１、６１）に挿入されるように意図された少なくとも１つの突起または突出（９２、１１２）を備えていることを特徴とする、請求項１〜５に記載の機械。
【請求項７】
前記回転ヘッドは、独立した回転方向および独立した回転速度を有する独立したヘッドであることを特徴とする、請求項１〜６に記載の機械。
【請求項８】
前記混合エレメントのカバー（６）および／または前記混合エレメントの容器（５）を分配するための分配モジュールを備えていることを特徴とする、請求項１〜７に記載の機械。
【請求項９】
混合ベースの複合製品加工機械用の混合エレメント（５、６）であって、
構成部分として容器およびカバーを有し、
２つの前記構成部分のうちの少なくとも１つが、少なくとも１つの中空の延長部（５１、６１）を有する少なくとも１つの基部を有し、
当該少なくとも１つの中空の延長部（５１、６１）が、前記混合エレメントの前記少なくとも１つの基部に対して垂直であることを特徴とする、混合ベースの複合製品加工機械用の混合エレメント（５、６）。
【請求項１０】
基部と、少なくとも１つの側壁と、上部開口と、で内部空間を定めるタイプの容器（５）であり、
前記中空の延長部が前記容器の前記内部空間内に延伸し、前記容器の体積を減少させることを特徴とする、請求項９に記載のエレメント。
【請求項１１】
前記少なくとも１つの側壁は、前記容器（５）の前記内部空間に入り込んで前記容器（５）の体積を減少させる少なくとも１つの側部の凹部（５２）を備えていることを特徴とする、請求項１０に記載のエレメント。
【請求項１２】
前記少なくとも１つの延長部（５１）および前記少なくとも１つの側部の凹部（５２）は、前記容器（５）を積み重ねることを可能にする構成を有していることを特徴とする、請求項１０〜１１に記載のエレメント。
【請求項１３】
基部に２つの延長部（５１）を有していることを特徴とする、請求項１０〜１２に記載のエレメント。
【請求項１４】
少なくとも１つの側壁によって取り囲まれた実質的に平坦な基部を有する本体を有するカバー（６）であり、
前記中空の延長部（６１）が前記基部から延伸していることを特徴とする、請求項９に記載の混合エレメント。
【請求項１５】
前記カバー（６）の前記少なくとも１つの側壁が、前記容器（５）との漏れ止め連結のための手段を有していることを特徴とする、請求項１４に記載のエレメント。
【請求項１６】
前記カバー（６）は、２つの延長部（６１）を有していることを特徴とする、請求項１４〜１５に記載のエレメント。
【請求項１７】
前記容器（５）の前記少なくとも１つの延長部（５１）の長さと前記カバー（６）の前記少なくとも１つの延長部（６１）の長さとの合計が、前記容器（５）の高さよりも小さいことを特徴とする、請求項９〜１５に記載のエレメント。
【請求項１８】
少なくとも１つの中空の延長部（５１、６１）を有する少なくとも１つの基部を有する混合エレメントであり、当該少なくとも１つの中空の延長部（５１、６１）が前記混合エレメントの前記少なくとも１つの基部に対して垂直である、混合エレメントと、
前記エレメントの前記少なくとも１つの延長部と相補的な連結構造（９２、１１２）および製品加工機械の回転ヘッドに固定するための固定構造を有する連結エレメント（９、１１）と、
を有していることを特徴とする、混合ベースの複合製品加工機械用の混合アセンブリ。
【発明の詳細な説明】
【発明の詳細な説明】
【０００１】
〔発明の目的〕
本発明は、「混合ベースの複合製品加工機械、混合エレメント、および混合アセンブリ」と題され、容器を有する混合エレメントに製品を分配する製品分配機械に関する。当該製品は、同じまたは異なる温度の、粉末と液体原料の混合物または２つ以上の液体原料の混合物からなり、当該機械は、混合エレメントに製品を分配し、混合エレメントは、少なくとも混合容器を含み、好ましくは漏れ止めカバーを含み、前記混合エレメントの内部では、その特定の構成の結果として、前記容器が連結されている機械の少なくとも１つの回転ヘッド上で、液体部分および粉状部分を協調的に回転させることによってそれらを混合させる。いずれにせよ、当該機械は、混合容器自身の中で、粉末食品または液体を、水または他の液体、あるいは種々の液体の混合物と混合することによって、食用製品を加工するために好適に使用される。機械の内部、特に液体の導管を洗浄する必要がなくなるため、他の液体製品よりも水を使用することが好ましい。
【０００２】
本発明の適用分野は、好ましくは、消費時に再構成または混合される食品を分配するための機械の製造に特化する産業分野に属し、同時に、上述のタイプの機械用の容器の製造に特化する産業分野もカバーする。あるいは、当該機械は、例えば、化粧品分野、装飾（塗料）分野、または歯科分野などの食品分野以外の分野に使用することができ、本発明の機械対象物は、例えば、これらの分野において、他の化合物を混合するために使用することができる。
【０００３】
〔背景技術〕
飲料、例えば、コーヒーを分配するための市販の機械が知られている。この機械は、消費者用の容器として使い捨てカップを分配し、その中に、粉末の混合物、水、ミルクまたは別の液体を、異なる温度で注入する。この混合物は、一般に、カップ内に注入される前に機械の内部で合成される。したがって、機械は、当該混合物を作製するのに必要な機構を有していなければならない。
【０００４】
本発明の目的は、混合段階が、機械内で行われるのではなく、飲料が注入されて分配される実際のカップ内で行われるように、機械の構成を単純化し、それによって、コストを低減し、分配機械の製造を単純化することである。
【０００５】
また、混合容器内で製品の構成原料を混合する工程を改善するための手段を含み、原料を混合容器内に注入または分配し、その後、容器が除去され、ユーザによって製品が消費されることに限定されている機械は、従来技術では知られていない。
【０００６】
従って、本発明の目的は、混合容器および／または混合容器のカバーの動きによって混合容器自体の中での原料の混合を容易にする手段を有する、機械に関する。上述の両方の構成部分、すなわち容器およびカバーは、本明細書の目的のための混合エレメントを形成する。上述したように、本発明は、好適に食品分野に使用されるが、これに限定されず、製品の混合が必要とされる他の分野に拡張されてもよい。
【０００７】
前述のことを達成するために、混合エレメントは、従来技術では知られていない特定の特徴を有していなければならない。
【０００８】
〔発明の概要〕
従って、前記課題を解決するための本発明の第１の目的は、請求項１に記載の混合ベースの複合製品加工機械に関する。
【０００９】
具体的には、機械は、少なくとも一方が液体であり、他方が粉末である２つ以上の原料をベースにする複合製品を、少なくとも混合および分配によって加工する。この機械は、原料を注入するための少なくとも１つの上部ディスペンサと、混合エレメントを支持するための下部基部とを有する。ディスペンサおよび基部の間に、基部上に配置される混合エレメントを収容するための混合空間が定められている。混合エレメントは、少なくとも１つの回転ヘッドと、回転ヘッドと混合空間との間に配置されている連結エレメントとを備え、連結エレメントは、回転ヘッドに固定するための固定構造と、混合空間内に配置される混合エレメントを連結するための連結構造とを有する。
【００１０】
固定構造および連結構造は、いずれも異なる構成およびエレメントを有することができる。ヘッドに固定するための固定構造の場合には、使用される手段は、当該構造がヘッドから緩んだり取り外されたりしないようにする。混合エレメントに連結するための連結構造の場合には、当該連結構造または手段は、回転ヘッドが回転する間に、混合エレメントが混合エレメントから緩んだり切り離されたりしないことを保証する。
【００１１】
前記回転ヘッドは、混合空間の下部および／または混合空間の上部に配置することができる。２つの回転ヘッドを有する場合（混合空間の下部に第１の回転ヘッドを、混合空間の上部に第２の回転ヘッドを有する場合、またはその逆の場合）、回転ヘッドのそれぞれは、ヘッドと混合空間との間に配置された連結エレメントを備え、したがって、各連結エレメントは、回転ヘッドのための固定構造、および、混合エレメントのための連結構造を有することになる。
【００１２】
回転ヘッドと連結エレメントとの間の固定を可能にするために、それらは共に相補的な固定構造を有し、それにより、お互いの位置決めや両方のエレメントの接合動作を保証する。
【００１３】
同様に、混合エレメントのための連結構造は、混合エレメント内に配置された相補的な凹部内に挿入される少なくとも１つの突起または突出を備え、その結果、回転ヘッドが回転するときに、混合エレメントが連結構造から外れるおそれがなく、両者の連結が保証される。
【００１４】
上述の回転ヘッドは独立した回転ヘッドであり、そのため、これらの回転ヘッドを動かす機構、好ましくは電気モータは、回転ヘッドを独立に作動させることができる。それゆえ、回転ヘッドを異なる速度で異なる方向に回転させたり、または同じ速度で異なる方向に回転させたり、または同じ速度で同じ方向に回転させたりするように、回転ヘッドを独立に作動させることができる。
【００１５】
混合エレメントは混合容器およびカバーによって形成され、容器はその下部基部を介して基部または下部回転ヘッドに連結され、カバーはその上部基部を介して上部回転ヘッドに連結される。上述したように、回転ヘッドが機械の一方の端部に存在しない場合、または、回転ヘッドが存在するが、当該回転ヘッドはモータを有していない場合、すなわち、回転ヘッドが反対側の回転ヘッドによって自由に動かされて回転する場合がある。回転ヘッドの１つが、回転モータを有しているにもかかわらず、モータを作動させることなく、自由に回転する場合すらあり得る。
【００１６】
機械は、混合エレメントの構成部分、すなわち、カバーおよび容器を、独立したディスペンサから混合空間に分配するモジュールをさらに有する。その順序は以下の通りである。
・容器は、容器を分配するための分配モジュールから混合領域に分配される。
・機械が１つの基部または下部回転ヘッドを有する場合、容器が、当該基部または下部回転ヘッドに連結される。
・原料、すなわち、少なくとも１つの粉末製品および液体製品が、機械の投与エレメントから容器に分配される。
・カバーが、カバーを分配するための分配モジュールから混合領域に分配される。カバーは、容器上に漏れが生じないように直接に連結され、容器を閉じることができる。上部回転ヘッドがある場合、その後、当該上部回転ヘッドはカバーに連結されるか、または、カバーは上部回転ヘッドに直接取り付けられ、当該上部回転ヘッドが下方に移動して、漏れが生じないようにカバーを容器に連結する。
・少なくとも１つの上部回転ヘッドおよび／または下部回転ヘッドが回転し始め、混合エレメント内部の原料の混合を確実にする。
【００１７】
本発明の第２の目的は、構成部分として容器およびカバーを有する、機械のための混合エレメントであって、２つの構成部分のうちの少なくとも１つが、少なくとも１つの中空の延長部を有する少なくとも１つの基部を有し、当該少なくとも１つの中空の延長部が、前記混合エレメントの前記少なくとも１つの基部に対して垂直である、混合エレメントに関する。
【００１８】
容器は、基部と、少なくとも１つの側壁と、上部開口とによって内部空間を定めるタイプであって、基部は、凹部、突出部または中空の延長部を少なくとも１つ有する。凹部、突出部または中空の延長部は、容器の内部空間に入り込み、容器の体積を減少させる。当該中空の延長部は、容器を積み重ねることができるように、円錐形、角錐形、円錐台形、または角錐台形を有する。１つ以上の、好ましくは２つの、延長部の機能は、原料が回転して混合されるときに、容器の内側で、混合される粉末および液体混合物の回転に干渉するかまたは回転を変更し、その慣性に干渉することである。中空の延長部は、異なる形状および長さを有していてもよいが、別の容器を積み重ねられるように、延長部の反対側の端部よりも大きい面積を有する下部基部を常に有している。
【００１９】
さらに、少なくとも１つの側壁は少なくとも１つの側部の凹部を備え、この側部の凹部は垂直延長部と同様に、容器の内部空間に入り込み、容器の体積を減少させ、さらに、容器の形状の結果として容器の積み重ねを可能にする。
【００２０】
カバーは、少なくとも１つの側壁によって取り囲まれた実質的に平坦な基部を有する本体を有し、当該基部は、中空の垂直延長部を有する。カバーは、容器との漏れ止め連結のための漏れ止め手段を有する少なくとも１つの側壁をさらに有する。カバーは、１つ以上の、好ましくは２つの、中空の延長部をさらに含んでいてもよい。容器の中空の延長部の場合と同様に、延長部の機能は、原料が回転して混合されるときに、容器の内側で、混合される粉末および液体混合物の回転に干渉するかまたは回転を変更し、その慣性に干渉することである。中空の延長部は、異なる形状および長さを有していてもよいが、別の容器を積み重ねられるように、延長部の反対側の端部よりも大きい面積を有する下部基部を常に有している。
【００２１】
好ましくは、中空の延長部は、容器の高さの少なくとも４分の１の長さを有する。これが、製品を混合するための回転に干渉し、製品の混合に寄与するための最小の好ましい長さだからである。中空の延長部の最大高さは、好ましくは容器の高さの４分の３である。
【００２２】
さらに、混合エレメントのカバーおよび容器の両方が中空の延長部を含む場合、容器の少なくとも１つの突出の長さとカバーの少なくとも１つの突出の長さとの合計は、容器の高さ未満である。
【００２３】
中空の延長部の別の機能は、混合エレメントと回転ヘッドとの間に配置された連結エレメントが連結構造を延長部内に挿入することを可能にし、それにより、両者が連結し、両者が一緒に回転するようにすることである。
【００２４】
本発明の第３の目的は、食用混合ベースの複合製品加工機械のための混合アセンブリであって、少なくとも１つの中空の延長部を有する少なくとも１つの基部を有する混合エレメントであって、当該少なくとも１つの中空の延長部は、前記混合エレメントの前記少なくとも１つの基部に対して垂直である混合エレメントと、前記エレメントの前記少なくとも１つの延長部と相補的な連結構造と、製品加工機械の回転ヘッドに固定するための固定構造と、を有する連結エレメントと、を有する、食用混合ベースの複合製品加工機械のための混合アセンブリに関する。
【００２５】
機械は、混合されるべき原料に応じて、異なる混合プログラムを記憶し、実行することを可能にし、それにより、機械の異なるエレメント、主に回転ヘッドのモータ、カバーおよび容器を分配するためのディスペンサ、原料を分配するためのディスペンサ、ならびに、原料が混合されたあとで消費される製品に応じて必要とされるクーラーおよびヒーターなどの他のエレメントに命令を送信する、プロセッサまたはＣＰＵ（Central Processing Unit）を備えてもよい。
【００２６】
好ましい動作モードでは、本発明の加工機械は、食用製品を得るために、スタートボタンを押した後に、以下のステップを実行する：
１）機械は、カップ混合エレメントの容器を、基部上に配置し、基部の突起またはヘッドの突起を混合容器の凹部に挿入させる。当該基部は、好ましくは下部回転ヘッドを構成する。
２）混合容器は、所定の体積の少なくとも１つの液体、次いで別の所定の体積の少なくとも１つの粉末原料を受け取る。任意で、液体および粉末は同時に容器内に分配されてもよく、または、液体が最初に分配され、次に粉末、次に液体が分配されて、粉末が混合カップの中心にくるようにしてもよい。
３）機械は、上部回転ヘッドの突起がカバーの凹部に連結された状態で、カバーを混合容器上に配置し、カップに圧力を加え、カバーと混合容器との間を漏れが生じないように連結する。
４）カップが覆われると、上部回転ヘッドおよび下部回転ヘッドは、好ましくは以下の方法で回転し始め、最大乱流状態を達成する：
ａ）同じ速度で、両方のヘッドを同じ方向にして、全体として方向を交互に変える方法、または、
ｂ）一方のヘッドを他方のヘッドと反対の方向にして、方向を交互に変える方法、または、
ｃ）下部ヘッドのみを回転させ、混合容器を回転させ、一方で上部ヘッドおよびカバーを静止させたままにし、方向を交互に変える方法。
５）プロセッサに記憶された所定の時間が経過すると、機械は、既に混合された製品を取り出すようにユーザに通知する。
【００２７】
上述のように、本発明は、食品分野、化粧品分野、装飾分野、または歯科分野のような異なる分野で、異なる成分または原料を加工し混合するために使用することができる。
【００２８】
〔図面の簡単な説明〕
本発明の説明を完全にするために、また本発明の理解を容易にするために、例示的で非限定的な図面のセットが、本明細書の不可欠な部分として含まれる。
【００２９】
図１は、本発明の対象であるインスタント飲料分配機械の一例の概略の断面図であり、当該インスタント飲料分配機械が有する主要部品およびエレメントを示す。
【００３０】
図２は、本発明の機械で使用される、容器およびカバーを有する混合エレメントの断面図であり、容器を閉じるためにカバーを組み込んでいる様子を示し、かつ、混合エレメントの内部構成を示す。
【００３１】
図３は、本発明の機械で使用される、容器およびカバーを有する混合エレメントの断面図であり、容器を閉じるためにカバーを組み込んでいる様子を示し、かつ、混合エレメントの内部構成を示す。
【００３２】
図４は、図２および図３に示された容器の斜視図であり、カバーが組み込まれており、また、破線によってその内部エレメントが示されている。
【００３３】
図５、図６および図７は、容器およびカバーと、機械が固定および回転のために有する複数の結合エレメントと、を当該複数のエレメントを混合エレメントの容器およびカバーに結合することを連続的な段階において示す断面図である。
【００３４】
〔発明を実施するための形態〕
前述の図面は、混合ベースの複合製品加工機械またはインスタント飲料分配機械の実施形態、ならびに、混合が行われる機械内の混合エレメントを示し、混合エレメントは、容器およびカバーによって形成されることができる。
【００３５】
図１は、本発明にかかる機械１の図を示す。機械１は、飲料を調製するために使用される水または液体を冷却または加熱し、飲料の温度を調整する冷却／加熱モジュール２と、飲料を調製するために液体に添加される粉末をカプセルまたはバルクで保持するためのハウジングを有する少なくとも１つの製品保持および投与モジュール３と、粉末を投与するための少なくとも１つの投与デバイスと、体積を調整するための調整器と、液体、好ましくは水を投与するための投与エレメントと、混合エレメントの中に製品を正確に計量するために必要とされる他の追加デバイスとを備えてもよい。さらに、機械は、分配モジュールへ移動される混合エレメントへの液体の流出を調節するソレノイド弁を含む分配モジュール４を含む。好ましくは、機械は、容器５を分配するためのディスペンサと、カバー６を分配するためのディスペンサとをさらに含む。両方のエレメント、すなわち容器５およびカバー６は、混合エレメントを形成する。混合エレメントは、カバー６無しで、混合容器５だけで構成しうる場合もある。前記１つまたは複数のディスペンサは、容器５および／または当該容器のカバー６を移動させるための異なる機構を有する混合空間７内に、混合容器５およびカバー６を配置する。好ましい実施形態では、分配モジュール４は、容器５を分配するための分配モジュールと、カバー６を分配するための分配モジュールとを有する。
【００３６】
この目的のために、容器５は、機械の容器５を分配するための分配モジュールから混合空間７内に配置され、混合される製品を容器内に注入、投与した後、カバー６が、容器５上に配置され、漏れないように容器に封をする。
【００３７】
容器５またはカバー６、あるいはその両方は、ヘッドと容器５および／またはカバー６との間に配置された連結エレメント９、１１を介して回転ヘッド上に配置され、当該連結エレメント９、１１は回転ヘッドに固定するための固定構造１０と、容器５またはカバー６に適切に連結するための連結構造９２、１１２とを有する。機械は、ヘッドを含んでもよい。すなわち、当該ヘッドは、混合空間７の上部に配置されている場合には、混合エレメントのカバー６を回転させるための上部ヘッドであってよく、混合空間７の下部に配置されている場合には、混合エレメントの容器５を回転させるための下部ヘッドであってよい。また、一方は上部にあり、他方は下部にある、２つの回転ヘッドがあってもよい。
【００３８】
容器５および／またはカバー６が１つ以上のヘッドに配置されると、それらは回転し、混合エレメント内の製品の混合を容易にする。機械が２つのヘッドを有する場合、モータによって制御されるそれぞれのヘッドは、以下のように回転することができる：
・２つのヘッドが一緒に同時に回転、または、１つのヘッドのみが独立して回転。
・同じまたは異なる方向に回転し、その結果、両方のヘッドが同じ方向または反対方向に回転し、容器５およびカバー６が同じまたは異なる方向に回転。
・同じまたは異なる速度で回転。
【００３９】
これにより、混合条件を、混合される原料の異なる特性に適合させることができ、それにより原料の理想的な混合を達成することができる。機械は、少なくとも、カップ５を、またはカバー６を、またはカップ５およびカバー６を一緒に回転させ、その結果、その中に保持された粉末製品および液体が混合され、また、任意で、カップ５およびカバー６を反対方向または同じ方向に独立して回転させ、および／または、反対方向または同じ方向への独立した回転を交互に行う。
【００４０】
この目的のために、混合空間７の下部に位置するとともに混合容器５が配置される機械の基部８も構成することができる下部回転ヘッドは、下部連結エレメント９を有する。下部連結エレメント９は、容器５の下部の相補的な構造上の構成５１と密接に合致することで構造上の構成５１に収まるとともに構造上の構成５１を支持する、構造上の構成９２を有する。下部連結エレメント９はさらに、下部回転ヘッドへ連結するための固定構造１０を有する。この下部回転ヘッドが容器５を動かす。
【００４１】
その代わりにまたはそれと相補的に、混合空間７の上部に位置し、混合エレメントのカバー６が連結される上部回転ヘッドは、上部連結エレメント１１を有する。上部連結エレメント１１は、カバー６の上部の相補的な構造上の構成６１と密接に合致することで構造上の構成６１に収まるとともに構造上の構成６１を支持する構造上の構成１１２を有する。上部連結エレメント１１はさらに、上部回転ヘッドへ連結するための固定構造１０を有する。この上部回転ヘッドがカバー６を動かす。
【００４２】
任意で、上部連結エレメント９および下部連結エレメント１１の両方は分配モジュール４の支持機構の一部であり、固定構造１０を使用して、容器５およびカバー６を持ち上げ、移動させて、混合空間７内の上部回転ヘッドおよび／または下部回転ヘッド内に容器５およびカバー６をそれぞれ配置する。混合空間７では、一方または両方のエレメントの回転に進む前に、カバー６を閉じさせる装置１２が混合容器５上にカバー６を配置すると製品の注入が実行される。
【００４３】
混合容器５への原料の注入および投与、並びにカバー６で容器５を閉じることは、機械の所定の空間内で行うことができ、次いで、ヘッドまたは回転ヘッドが作用する混合空間７へ移すことができることを強調しなければならない。同様に、投与および注入空間と混合空間７とは同じ空間とすることができる。
【００４４】
次に、図２〜図４に示すように、混合容器５は、その中に保持された製品の混合を達成するために、混合容器５の基部から現れて混合容器５の中に延長されている、１つ以上の中空の垂直延長部または突出部５１を備えてもよく、それにより、混合容器５が回転するときに、混合容器５の内部の粉末および液体混合物の回転に干渉するおよび／または回転を変える。中空の延長部５１は、異なる形状および長さを有してもよいが、別の容器５を積み重ねられるように、延長部の反対側の端部よりも大きい面積を有する下部基部を常に有する。前記延長部は異なる形状を有してもよいが、好ましくは円錐形または円錐台形、角錐形または角錐台形を有し、角錐の基部は任意の幾何学的形状（三角形、正方形、長方形など）を有してもよい。
【００４５】
また、容器５は、好ましくは、容器内に入り込み、容器の積み重ねを可能にする１つ以上の側部の凹部５２を有する。説明したように、上述の垂直延長部５１と共に、これらの側部の凹部は、混合段階中に液体の運動の慣性を壊し、容器５内で原料を混合する過程で協働する。
【００４６】
中空の延長部５１は、好ましくは、容器５の高さの少なくとも４分の１の長さを有する。それが、製品を混合するための回転に干渉し、その結果、混合に寄与するための最小の好ましい長さだからである。中空の延長部５１の最大の高さは、好ましくは、容器５の高さの４分の３である。
【００４７】
さらに、垂直延長部５１もしくは側部の凹部５２、またはこの両方の構造は、機械の下部回転ヘッドに固定するための下部連結エレメント９と組み合わさるための手段を構成している。下部連結エレメント９の構成は、垂直延長部５１または側部の凹部５２と密接に合致するように相補的である。具体的には、図５〜図７に示すように、下部連結エレメント９は、部分９１と、部分９１から現れる相補的な延長部９２とを有し、相補的な延長部９２は、容器５の垂直延長部５１および側部の凹部５２にぴったりと嵌合するような構成および配置を有する。
【００４８】
次に、混合エレメントのカバー６は、好ましくは中空の垂直延長部または突出部６１を１つ以上有することもでき、垂直延長部または突出部６１は、カバーの下面から現れて、容器５の内部空間に入り込み、さらに混合過程を助け、当該延長部または突出部は、また、積み重ね可能な構成を有し、且つ機械の上部連結エレメント１１と組み合わさるための手段を構成している。上部連結エレメント１１の構成は、垂直延長部または突出部６１と密接に合致するように相補的である。図５〜図７は、上部連結エレメント１１が表面１１１をどのように形成するかを示す。表面１１１から、カバー６の垂直突出部６１に適合する構成および配置を有する相補的な突出部１１２が出ている。
【００４９】
容器５の場合と同様に、カバー６の延長部６１は容器５の延長部５１と同じ機能を有する。すなわち、容器５内で行われる混合の回転運動の慣性を壊すことである。カバー６の延長部６１の長さは、容器５の高さまたは長さの少なくとも約４分の１であり、その最大長さは、容器５の最大高さまたは長さの約４分の３である。
【００５０】
いずれにしても、容器５の垂直延長部または突出部５１と、カバー６の垂直延長部または突出部６１との合計が容器の内部の高さまたは長さを超えないこと、すなわち、容器５およびカバー６が独立して回転するときに、突出部５１と突出部６１とが互いにぶつからないことが重要である。
【００５１】
本発明は、記載された種々の選択肢を組み合わせることが可能である。すなわち、機械は、混合エレメントの部分と相互作用することができる単一の上部回転ヘッドもしくは単一の下部回転ヘッド、または両方の回転ヘッドを有してもよく、混合エレメントは、延長部５１を有する容器５および延長部６１を有さないカバー６、または、延長部５１を有する容器５および延長部６１を有するカバー６、または、延長部５１を有さない容器５および延長部６１を有するカバー６、を含むことができる。さらに、混合エレメントがカバー６を有さず、機械が、延長部５１を有する容器５のみを使用することも可能である。
【図面の簡単な説明】
【００５２】
【図１】本発明の対象であるインスタント飲料分配機械の一例の概略の断面図であり、当該インスタント飲料分配機械が有する主要部品およびエレメントを示す。
【図２】本発明の機械で使用される、容器およびカバーを有する混合エレメントの断面図であり、容器を閉じるためにカバーを組み込んでいる様子を示し、かつ、混合エレメントの内部構成を示す。
【図３】本発明の機械で使用される、容器およびカバーを有する混合エレメントの断面図であり、容器を閉じるためにカバーを組み込んでいる様子を示し、かつ、混合エレメントの内部構成を示す。
【図４】図２および図３に示された容器の斜視図であり、カバーが組み込まれており、また、破線によってその内部エレメントが示されている。
【図５】容器およびカバーと、機械が固定および回転のために有する複数の結合エレメントと、を当該複数のエレメントを混合エレメントの容器およびカバーに結合することを連続的な段階において示す断面図である。
【図６】容器およびカバーと、機械が固定および回転のために有する複数の結合エレメントと、を当該複数のエレメントを混合エレメントの容器およびカバーに結合することを連続的な段階において示す断面図である。
【図７】容器およびカバーと、機械が固定および回転のために有する複数の結合エレメントと、を当該複数のエレメントを混合エレメントの容器およびカバーに結合することを連続的な段階において示す断面図である。
【図１】
2020527431.tif 000003
【図２】
2020527431.tif 000004
【図３】
2020527431.tif 000005
【図４】
2020527431.tif 000006
【図５】
2020527431.tif 000007
【図６】
2020527431.tif 000008
【図７】
2020527431.tif 000009
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
２つ以上の原料をベースにする複合製品を、少なくとも混合および分配によって加工する混合ベースの複合製品加工機械であって、  原料を注入するための少なくとも１つの上部ディスペンサと、下部基部（８）と、を有し、  前記基部（８）上に配置される、カバー（６）および／または容器（５）を有する混合エレメントを収容するための、前記上部ディスペンサと前記下部基部（８）との間に定められた混合空間を有し、  前記混合ベースの複合製品加工機械は、少なくとも１つの回転ヘッドであって、当該ヘッドと前記混合空間との間に配置された連結エレメント（９、１１）を備え、前記連結エレメント（９、１１）は、前記回転ヘッドに固定するための固定構造（１０）と、前記混合空間内に配置された前記混合エレメントのための連結構造（９２、１１２）とを有している、少なくとも１つの回転ヘッドと、 原料としての粉末製品を投与するための、前記上部ディスペンサに配置された少なくとも１つの投与エレメントと、 原料としての液体製品を投与するための、前記上部ディスペンサに配置された少なくとも１つの投与エレメントと、 前記混合エレメントのカバー（６）を分配するための分配モジュールと、を有していることを特徴とする、混合ベースの複合製品加工機械。
【請求項２】
前記回転ヘッドは、前記混合空間の下部に配置されていることを特徴とする、請求項１に記載の機械。
【請求項３】
前記回転ヘッドは、前記混合空間の上部に配置されていることを特徴とする、請求項１〜２のいずれか１項に記載の機械。
【請求項４】
２つの回転ヘッドを有し、  当該２つの回転ヘッドは、それぞれが前記ヘッドと前記混合空間との間に配置された連結エレメント（９、１１）を有し、  各連結エレメント（９、１１）は、前記回転ヘッドのための固定構造（１０）と、前記混合エレメントのための連結構造（９２、１１２）とを有し、  第１の回転ヘッドが前記混合空間の下部に配置され、且つ第２の回転ヘッドが前記混合空間の上部に配置されるか、またはその逆であることを特徴とする、請求項１に記載の機械。
【請求項５】
前記回転ヘッドは、前記連結エレメントの前記固定構造（１０）と相補的な固定構造を有していることを特徴とする、請求項１〜４のいずれか１項に記載の機械。
【請求項６】
前記混合エレメント（５、６）のための前記連結構造（９２、１１２）は、前記混合エレメント（５、６）の相補的な凹部（５１、６１）に挿入されるように意図された少なくとも１つの突起または突出（９２、１１２）を備えていることを特徴とする、請求項１〜５のいずれか１項に記載の機械。
【請求項７】
前記回転ヘッドは、独立した回転方向および独立した回転速度を有する独立したヘッドであることを特徴とする、請求項１〜６のいずれか１項に記載の機械。
【請求項８】
前記混合エレメントの容器（５）を分配するための分配モジュールを備えていることを特徴とする、請求項１〜７のいずれか１項に記載の機械。
【請求項９】
混合ベースの複合製品加工機械用の混合エレメント（５、６）であって、  構成部分として容器およびカバーを有し、  ２つの前記構成部分のうちの少なくとも１つが、少なくとも１つの中空の延長部（５１、６１）を有する少なくとも１つの基部を有し、  当該少なくとも１つの中空の延長部（５１、６１）が、前記混合エレメントの前記少なくとも１つの基部に対して垂直であることを特徴とする、混合ベースの複合製品加工機械用の混合エレメント（５、６）。
【請求項１０】
基部と、少なくとも１つの側壁と、上部開口と、で内部空間を定めるタイプの容器（５）であり、  前記中空の延長部が前記容器の前記内部空間内に延伸し、前記容器の体積を減少させることを特徴とする、請求項９に記載のエレメント。
【請求項１１】
前記少なくとも１つの側壁は、前記容器（５）の前記内部空間に入り込んで前記容器（５）の体積を減少させる少なくとも１つの側部の凹部（５２）を備えていることを特徴とする、請求項１０に記載のエレメント。
【請求項１２】
前記少なくとも１つの延長部（５１）および前記少なくとも１つの側部の凹部（５２）は、前記容器（５）を積み重ねることを可能にする構成を有していることを特徴とする、請求項１０〜１１のいずれか１項に記載のエレメント。
【請求項１３】
基部に２つの延長部（５１）を有していることを特徴とする、請求項１０〜１２のいずれか１項に記載のエレメント。
【請求項１４】
少なくとも１つの側壁によって取り囲まれた実質的に平坦な基部を有する本体を有するカバー（６）であり、  前記中空の延長部（６１）が前記基部から延伸していることを特徴とする、請求項９に記載の混合エレメント。
【請求項１５】
前記カバー（６）の前記少なくとも１つの側壁が、前記容器（５）との漏れ止め連結のための手段を有していることを特徴とする、請求項１４に記載のエレメント。
【請求項１６】
前記カバー（６）は、２つの延長部（６１）を有していることを特徴とする、請求項１４〜１５のいずれか１項に記載のエレメント。
【請求項１７】
前記容器（５）の前記少なくとも１つの延長部（５１）の長さと前記カバー（６）の前記少なくとも１つの延長部（６１）の長さとの合計が、前記容器（５）の高さよりも小さいことを特徴とする、請求項９〜１５のいずれか１項に記載のエレメント。
【請求項１８】
少なくとも１つの中空の延長部（５１、６１）を有する少なくとも１つの基部を有する混合エレメントであり、当該少なくとも１つの中空の延長部（５１、６１）が前記混合エレメントの前記少なくとも１つの基部に対して垂直である、混合エレメントと、  前記エレメントの前記少なくとも１つの延長部と相補的な連結構造（９２、１１２）および製品加工機械の回転ヘッドに固定するための固定構造を有する連結エレメント（９、１１）と、を有していることを特徴とする、混合ベースの複合製品加工機械用の混合アセンブリ。
【国際調査報告】
2020527431.tif 000010
2020527431.tif 000011
2020527431.tif 000012
2020527431.tif 000013
2020527431.tif 000014
2020527431.tif 000015
2020527431.tif 000016
2020527431.tif 000017